(57)【要約】【課題】本発明は、実用性のある編物製品（例えば袋物）を机上にて遊戯感覚で楽しく操作して編み上げることができ、しかも編物製品にビーズを散りばめ、より個性的なオリジナリティの高い、装飾性に優れた編物製品を遊び感覚で編み上げることのできる子供用円型編機を提供する。【解決手段】本発明は、編針６を環状に配した円筒回転体５を、ハンドル３の操作により連繋回転可能に設け、該円筒回転体５の内周側に前記編針６を給糸位置Ａで上昇させるカム８、８′を備えた固定筒７を設け、該固定筒７のカムで上下する編針６に係留される糸９により編物を編成できるようにした子供用円型編機において、前記給糸位置Ａに、編針に給糸される糸９に予め通したビーズ１２を堰止めるストッパ１３と、該堰止位置からビーズ１２を編針６側に押出すための押出手段１４とを備えたことを特徴としている。【選択図】図１
2006063458.tif 000002
【特許請求の範囲】
【請求項１】
編針を環状に配した円筒回転体をハンドル操作により連繋回転可能に設け、該円筒回転体の内周側に前記編針を給糸位置で上昇させるカムを備えた固定筒を設け、該固定筒のカムで上下する編針に係留される糸により編物を編成できるようにした子供用円型編機において、前記給糸位置に、編針に給糸される糸に予め通したビーズを堰止めるストッパと、該堰止位置からビーズを編針側に押出すための押出手段とを備えたことを特徴とする子供用円型編機。
【請求項２】
前記円筒回転体の上縁に、編針を出没させるスリットと、該スリットを挟んで並設した糸係止爪片と、前記スリット間に編針に係留された糸を離脱させないための糸ガイドとを設け、該糸ガイドの左右両面に、前記スリットを出没する編針との隙間を狭めるためのリブを設けたことを特徴とする請求項１に記載の子供用円型編機。
【請求項３】
前記押出手段の、ビーズの押出作動又は非作動を決定するための選択手段を設けたことを特徴とする請求項１又は２に記載の子供用円型編機。
【請求項４】
前記押出手段をビーズの押出作動側にしたときに、前記円筒回転体をビーズの挿入位置で停止させる停止手段を設けたことを特徴とする請求項１〜３のうちの１に記載の子供用円型編機。
【請求項５】
前記停止手段が、該停止手段よる円筒回転体の停止位置にて前記押出手段を押出作動するほかに、停止解除手段を備えていることを特徴とする請求項４に記載の子供用円型編機。
【請求項６】
前記ストッパに堰止められてビーズが並ぶ部位に、ビーズの整列路を設け、該整列路をビーズ供給方向に低くなるように傾斜させ、かつ、階段状にしたことを特徴とする請求項１〜５のうちの１に記載の子供用円型編機。
【発明の詳細な説明】
【技術分野】
【０００１】
本発明は、実用性のある編物製品（例えば袋物）を机上にて遊戯感覚で楽しく操作して編み上げることのできる子供用円型編機に関するものである。
【背景技術】
【０００２】
従来、この種の編機は、ケース本体の側面に設けたハンドルを操作してケース本体の上面に設けた編針を環状に配した円筒回転体を回転させ、該円筒回転体の回転によりその内周側に設けた固定筒の内面のカムの作用により前記編針を給糸位置で上昇させ、供給された糸を編針に係留させて旧編目に絡ませつつマフラー等を編むことができるようになっていた。そして編まれたマフラー等はケース本体の下方に設けた支持脚の間に形成された空間から排出できるように構成されていた（実用新案登録第３０６５００２号参照）。この従来型の編機は、遊戯感覚でハンドル操作しつつ楽しくマフラー等を編むことができるように機構を単純化した点で好ましいものであった。
【特許文献１】実用新案登録第３０６５００２号公報
【発明の開示】
【発明が解決しようとする課題】
【０００３】
しかしながら、上記従来型の編機では、編み上げられたマフラー等の編物製品は、子供をして「自分で編んだ」という満足感は得られるが、マフラー等の編物製品自体は通常市販のものと大きな変化がなく、個性的であってオリジナル性の高い製品とするには、せいぜい色糸の使い方を工夫する以外になく、充分な満足感は得られなかった。
【０００４】
本発明は、上記問題を解消するためのもので、その目的とするところは、編物製品にビーズを散りばめ、より個性的なオリジナリティの高い、装飾性に優れた編物製品を遊び感覚で編み上げることのできる子供用円型編機を提供することにある。
【課題を解決するための手段】
【０００５】
上記の目的を達成するため、本発明は、編針を環状に配した円筒回転体をハンドル操作により連繋回転可能に設け、該円筒回転体の内周側に前記編針を給糸位置で上昇させるカムを備えた固定筒を設け、該固定筒のカムで上下する編針に係留される糸により編物を編成できるようにした子供用円型編機において、前記給糸位置に、編針に給糸される糸に予め通したビーズを堰止めるストッパと、該堰止位置からビーズを編針側に押出すための押出手段とを備えたことを特徴とし、編物の編成過程でビーズを編み込むことができるるように構成している。
【０００６】
また、請求項２に記載の発明は、前記円筒回転体の上縁に、編針を出没させるスリットと、該スリットを挟んで並設した糸係止爪片と、前記スリット間に編針に係留された糸を離脱させないための糸ガイドとを設け、該糸ガイドの左右両面に、前記スリットを出没する編針との隙間を狭めるためのリブを設けたことを特徴とし、前記スリットを通して突出する編針には、ビーズ挿入時にビーズ分だけ編糸に余分な張力がかかり、きつく巻き付いていてしまうことから、編針の上昇時にその直前に形成した編目を持ち上げてしまうことがないように構成している。
【０００７】
さらに、請求項３に記載の発明は、前記押出手段の、ビーズの押出作動又は非作動を決定するための選択手段を設けたことを特徴とし、ビーズ挿入モードにしたり、非挿入モードにすることが手軽に選択できるように構成している。
【０００８】
さらにまた、請求項４に記載の発明は、前記押出手段をビーズの押出作動側にしたときに、前記円筒回転体をビーズの挿入位置で停止させる停止手段を設けたことを特徴とし、ビーズの挿入位置を機械的に定まるように構成している。
【０００９】
さらにまた、請求項５に記載の発明は、前記停止手段が、該停止手段よる円筒回転体の停止位置にて前記押出手段を押出作動するほかに、停止解除手段を備えていることを特徴とし、ビーズの挿入を機械的に定められた位置での挿入を望まないときは「パス」できるように構成している。
【００１０】
さらにまた、請求項６に記載の発明は、前記ストッパに堰止められてビーズが並ぶ部位に、ビーズの整列路を設け、該整列路をビーズ供給方向に低くなるように傾斜させ、かつ階段状にしたことを特徴とし、前記押出手段の操作時にビーズを編針側に押出すときの抵抗を少なくするとともに、ビーズが供給方向と逆方向に押込まれることを確実に規制できるように構成している。
【発明の効果】
【００１１】
本発明によれば、ハンドル操作により円筒回転体を回しながら固定筒のカムの作用で編針が上下し、上昇時に係留した糸を旧編目に絡めて編物を編成してゆく状況を見ながら、ビーズ挿入タイミングをはかってビーズを容易に挿入できる。この場合、編糸を切断し、その切断端よりビーズを必要な数だけ通して再結束し、ストッパで堰止めておき、ビーズ挿入に当たり押出手段を押下げ操作して堰止られていたビーズを編針側に押出すことにより簡単に編み込むことができる。したがって、編物製品にビーズを個性的に散りばめ、世界に一つしかない、オリジナリティが高く装飾性に優れた編物製品を遊び感覚で編み上げることができるという優れた効果を奏するものである。
【００１２】
また、請求項２に記載の発明によれば、前述の如く、ビーズを編み込ませるときは、そのビーズの大きさ分だけ編糸に余分な張力がかかるため、該編針には編目となる糸がきつく巻き付いてしまい、ハンドル操作により円筒回転体を回しながら固定筒のカムの作用で編針を上昇させるときに、編目となる糸が糸ガイドの下に残らず、追従して上昇することがないように確実に規制でき、常に、綺麗な編目の製品が容易に編成できるという優れた効果を奏するものである。
【００１３】
さらに、請求項３に記載の発明によれば、個性的にビーズを散りばめたオリジナリティの高い編物製品でも、ビーズを散りばめない普通の編物製品でも自由に編めるという優れた効果を奏するものである。
【００１４】
さらにまた、請求項４に記載の発明によれば、ビーズの挿入モードにしたときに、ビーズ挿入位置が円筒回転体の停止により機械的に定められ、誰でも（子供でも）失敗なく手軽にビーズ挿入ができるようになるという優れた効果を奏するものである。
【００１５】
さらにまた、請求項５に記載の発明によれば、ビーズの挿入が機械的に定められた位置を遊戯者の積極的な判断により「パス」したいときは、停止手段をビーズの挿入しない状態でも解除できるようにしたから、より個性の高い編物製品を作ることもできるという優れた効果を奏するものである。
【００１６】
さらに、請求項６に記載の発明によれば、前記ビーズ整列路が、ビーズ供給方向に低くなるように傾斜しているため、前記押出手段の操作時にビーズを編針側に押出すときの抵抗がより少なくなる。また、整列路が階段状になっているため、該押出手段の操作時にビーズが供給方向と逆方向に押され、挿入しようとしたビーズが挿入がされないという状況になることを確実に防止できるという優れた効果を奏するものである。
【発明を実施するための最良の形態】
【００１７】
次に、本発明の最良の形態を図面に基づいて説明する。図１は本願編機の外観斜視図、図２はハンドルと円筒回転体との連繋部を示す断面図、図３はビーズのストッパと押出手段を示す断面図、図４はストッパを開口させた状態を示す断面図、図５は押出手段の正面図で、（ａ）は押下げる前、（ｂ）は押下げた後、図６はビーズの挿入モードと非挿入モードとの切換機構と円筒回転体の停止手段を示す断面図、図７は円筒回転体の停止解除手段を示す断面図、図８は円筒回転体の上縁カバーと編針との関係を示す斜視図、図９は円筒編みと平面編みの切換手段を示す断面図である。
【００１８】
本願編機１は、図１に示す如く、ケーシング２の一側面に設けたハンドル３を操作することにより編物４が編成できるようになっているものである。編物４は、図２の如く、円筒回転体５に環状に配した編針６を、該円筒回転体５の内周側に設けた固定筒７の内面に設けたカム８、８′の作用により給糸位置Ａで上昇させ（図１参照）、その上昇時に係留した糸（太めの毛糸が用いられる）９を下降時に旧編目に絡ませることにより順次編成される。前記円筒回転体５は、下体５ａと上体５ｂとが一体回転可能に重ねられて構成されており、その下体５ａの鍔体５ａ′の下面に設けた歯車１０に、前記ハンドル３の中心軸３ａの内端に固定した歯車１１を噛合させている。
【００１９】
前記給糸位置Ａには、図３に示す如く、編針６に給糸させるための糸９に、予め、ビーズ１２を通し、該ビーズ１２をストッパ１３により堰止めることができるようになっている。ともに、該ストッパ１３による堰止位置には、ビーズ１２を、図４の如く編針６側に押出すための楔片１４′を備えた押出手段１４が設けられている。この押出手段１４は平時にはバネ部材Ｂの作用により上位点を維持している。また、押出手段１４の頭部１５には割溝１５′が設けられ、ビーズ１２を挿入し又は挿入しない糸９が切断することなくセットできるようにしている。この割溝１５′の対向面の少なくとも一方には半球形の突子１５″が設けられ、いったん割溝１５′内にセットした糸９が容易に脱出しないようにしている。
【００２０】
前記押出手段１４の頭部１５の下面には頬骨を張り出したようにリブ１６、１６′を垂下状に設け、押出手段１４をバネ部材Ｂに抗して押下げたときに、それまで図５（ａ）の如く閉じていたストッパ１３を、同（ｂ）の如く左右に拡開させることができるようになっている。
【００２１】
前記押出手段１４の上記機能は前記ケーシング２の上面に設けたスライドスイッチ等からなる選択手段１７により選択できるようになっている。すなわち、選択手段１７を図６の実線の如くスライドさせて押出手段１４の脚端１４′が当接する当接板１８から把持枠体１７′を離反させ、該当接板１８を軸１９を中心にシーソー状に回動するレバー２０と一緒に押下げられる「押出作動モード」にすると、押出手段１４の押下げにより前述のようにストッパ１３を開口し、堰止められていたビーズ１２を編針６側へ向けて押出すことができるようになる。一方、押出手段１４を押下げている力を解除すると、レバー２０はバネ２１の作用で旧位に復帰する。
【００２２】
一方、押出手段１４は、前記選択手段１７を図６の一点鎖線の如くスライドさせて該押出手段１４の脚端１４′が当接する当接板１８を把持枠体１７′で固定させると「非押出作動」モードになる。この非押出作動モードでは、押出手段１４の脚端１４′が固定されてしまうために押下げ操作ができなくなる。したがって、選択手段１７の上記操作によりビーズを挿入したり挿入できないようにすることが自由に選択できるようになる。
【００２３】
前記選択手段１７をビーズの「押出作動」モードにした場合、ビーズの挿入位置を定めるために、前記円筒回転体５を停止させる停止手段２２が設けられている。この停止手段２２は、図６の如く円筒回転体５の上体５ｂの鍔体５ｂ′の上面外周部の等配位置に凹所２３を設け、該凹所２３には、軸２４を中心にシーソー状に回動するレバー２５の下面に設けた突起２６が、バネ２１の引作用で嵌入できるように構成してなる。換言すれば、前記選択手段１７を「押出作動モード」にすると、停止手段２２が機能して円筒回転体５が凹所２３と突起２６との作用により停止する。この時点で、前記押出手段１４を押下げ、ビーズ１２を編針６側に押し出すと編物４中にビーズ１２が自然に編み込まれることとなる。この場合、ビーズ１２は図１の如く編物４の内面側（編物製品の「表」となるのは編物４の外面側）に編み込まれ、「表」からは見えないが編み終えた後、編目を通してビーズ１２を外面側に移動させればよい。編目は、通常、ビーズ１２が通り抜ける程度の大きさになる。
【００２４】
前記停止手段２２にはこれを解除する機能が備えられている。すなわち、前記ケーシング２の上面に突出させた停止解除手段（ボタン）２７を設けている。該停止解除手段２７を、図７の一点鎖線の如く押さげて前記レバー（軸２４の端面側から見ている）２５をバネ２１に抗して鍔体５ｂ′の上面の凹所２３から突起２６を離脱させることができるようになっている。この停止解除手段２７の作用は、停止手段２２が機能して円筒回転体５が停止した時点で、ビーズの挿入を「パス」するときに使用される。
【００２５】
前記円筒回転体５の上縁のガバー５′には、図８の如く、編針６を出没させるスリット２８と、該スリット２８を挟んで並設した糸係止爪片２９と、前記スリット２８間に編針６に係留された糸９を編針６のフック溝６′の奥に送込むための糸ガイド３０とを設け、該糸ガイド３０の左右両面に、前記スリット２８を出没する編針６との隙間Ｓを狭めるためのリブ３１を設けている。このリブ３１は前記スリット２８を通して上方に突出する編針６に、ビーズ挿入時にビーズ分だけ編糸９に張力がかかって編目がきつく巻き付いてしまうが、その編目が編針６に追従しないようにしたものである。
【００２６】
前記ストッパ１３に堰止められてビーズ１２が並ぶ部位に、ビーズの整列路３２を設ける。該整列路３２は、図３及び図４の如く、ビーズ供給方向に低くなるように傾斜し、かつ、階段状になっている。この整列路３２を上記の如く傾斜させたのは前記押出手段１４の操作時にビーズ１２を編針６側に押出すときの抵抗が可及的に少なくなるようにしている。また、前記整列路３２を階段状にしたのは、該押出手段１４の操作時にビーズ１２が供給方向と逆方向に逃げ、挿入しようとしたビーズ１２が挿入がされない状況になることを確実に防止できるようにするためである。
【００２７】
本願編機１は、図９の如く、前記ケーシング２の上面に「円筒編み」と「平面編み」とを切換える切換手段（回動棒）３３を備えている。該切換手段３３は軸３４を中心に回動可能に設けられ、実線のように左側に倒すと、軸３４から前方に延びた腕体３５がほぼ水平になって、円筒回転体５の上体５ｂの鍔体５ｂ′の周面に近接し、該周面の１個所に設けた突起５ｂ″に当接して円筒回転体５の回転を停止させる。また、軸３４から後方に延びた踵体３６はバネ部材３７の内面中腹に設けた断面半円状の突子３８の下側に係止されて前記腕体３５を安定的に保持するようになる。一方、切換手段３３を、一点鎖線のように右側に倒すと、腕体３５が下向きになって前記周面の１個所に設けた突起５ｂ″に不作用となり、円筒回転体５を同一方向に連続的に回転させる状態になる。この腕体３５の下向き状態は、前記踵体３６が前記バネ部材３７の突子３８の上側に係止されることにより保たれるようになっている。
【００２８】
前記切換手段３３を、実線のように倒してハンドル３を回すと、円筒回転体５が一定角度ごとに回転して停止する。その後、円筒回転体５は逆方向には回転でき、そのように回転させると同様に一定角度回転して再び停止する。すなわち、切換手段３３を、実線のように倒してハンドル３を回すと、或る個所では編目が絡まない部分ができることから編物４は平面編みとなる。また、切換手段３３を一点鎖線のように倒してハンドル３を回すと円筒回転体５は同一方向に連続的に回転し、絡まない部分ができることがないから円筒編みとなる。勿論、上記円筒編みであると平面編みであるとを問わず、ビーズ１２の挿入は常に可能である。
【産業上の利用可能性】
【００２９】
本願編機１は、編物製品にビーズを散りばめ、単なる編物製品と異なり、より個性的なオリジナリティの高い、装飾性に優れた編物製品が遊び感覚で編み上げることができるもので子供用としては勿論、大人向け円型編機としても利用可能性が高いものである。
【図面の簡単な説明】
【００３０】
【図１】本願編機の外観斜視図である。
【図２】ハンドルと円筒回転体との連繋部を示す断面図である。
【図３】ビーズのストッパと押出手段を示す断面図である。
【図４】押出手段を押下げてストッパを開口させた状態を示す断面図である。
【図５】押出手段の正面図で、（ａ）は押下げる前、（ｂ）は押下げた後である。
【図６】円筒回転体の停止手段を示す断面図である。
【図７】円筒回転体の停止解除手段を示す断面図である。
【図８】円筒回転体の上縁カバーと編針との関係を示す斜視図である。
【図９】円筒編みと平面編みの切換手段を示す断面図である。
【符号の説明】
【００３１】
１  本願編機
２  ケーシング
３  ハンドル
４  編物
５  円筒回転体
６  編針
７  固定筒
８、８′  内面カム
９  糸（毛糸）
１０  歯車
１１  歯車
１２  ビーズ
１３  ストッパ
１４  押出手段
１４′  楔片
１４″  脚端
１５  頭部
１５′  割溝
１５″  突子
１６、１６′  リブ
１７  選択手段
１７′  把持枠体
１８  当接板
１９、２４、３４  軸
２０  レバー
２１  バネ
２２  停止手段
２３  凹所
２５  レバー
２６  突起
２７  停止解除手段
２８  スリット
２９  糸係止爪片
３０  糸ガイド
３１  リブ
３２  整列路
３３  切換手段
３５  腕体
３６  踵体
３７  バネ部材
３８  突子
Ａ  給糸位置
Ｂ  バネ部材
【図１】
2006063458.tif 000003
【図２】
2006063458.tif 000004
【図３】
2006063458.tif 000005
【図４】
2006063458.tif 000006
【図５】
2006063458.tif 000007
【図６】
2006063458.tif 000008
【図７】
2006063458.tif 000009
【図８】
2006063458.tif 000010
【図９】
2006063458.tif 000011